(57)【特許請求の範囲】
【請求項１】
魚釣りに用いる金属製のルアーであって、
外形を魚の形に似せて形成され、左右いずれか一方のみの腹部付近側面に窪み部を有する金属製のルアー本体と、
前記ルアー本体に設けられ釣糸を係止する釣糸係止部と、
前記ルアー本体の窪み部が設けられた側面の反対側の頭部側面に連結されているフックと
を備えたルアー。
【請求項２】
前記ルアー本体内に頭部から尾部にかけて配置されたワイヤをさらに有し、
前記釣糸係止部及びフックは前記ワイヤに連結されている、
請求項１に記載のルアー。
【請求項３】
前記窪み部は、前記ルアー本体の長さ方向に腹部の中央付近の頭部側から尾部側にかけて形成されており前記ルアー本体の頭部端部及び尾部端部までは設けられていない、
請求項１または２に記載のルアー。
【発明の詳細な説明】
【０００１】
【発明の属する技術分野】
本発明は、メタルジグと呼ばれる、外形を魚に似せた金属製本体を有するルアーに関する。
【０００２】
【従来の技術】
従来のメタルジグは、外形を魚に似せた金属製のルアー本体と、ルアー本体頭部に設けられたライン（釣糸）を結束するための釣糸係止用アイ（止輪）と、ルアー本体の尾部に連結されたフック（釣針）とを有している。
【０００３】
この従来のメタルジグは、金属製のルアー本体自体が錘として作用し、キャスティング後に水深の深い箇所まで沈降する。そして、水底に至った後にロッド（釣竿）を振り上げるようにして（一般に「しゃくる」といわれる動作である）、メタルジグにジャーキングのアクションをつけて魚に強くアピールする。
【０００４】
【発明が解決しようとする課題】
メタルジグに反応して興味を示した魚はこのメタルジグを飲み込みまたは噛みつこうとする。ここで、比較的大きな魚はメタルジグを丸飲みしようとするので、メタルジグの尾部に設けられたフックによって十分に針係して釣り上げることが可能である。しかし、比較的小さな魚はメタルジグを丸飲みできない場合がある。
【０００５】
このような小さな魚は攻撃対象魚の頭部に噛みついて獲物をしとめようとするので、メタルジグの頭部付近に噛みついてくることが多い。このため、メタルジグの尾部にのみフックを設けておくと、十分に針がかりせず魚をうまく釣り上げられない場合もある。
【０００６】
本発明の課題は、魚の針への引っかかりがよく容易に魚を釣り上げられるメタルジグを提供することにある。
【０００７】
【課題を解決するための手段】
発明１にかかるルアーは、魚釣りに用いる金属製のルアーであって、外形を魚の形に似せて形成され、左右いずれか一方のみの腹部付近側面に窪み部を有する金属製のルアー本体と、ルアー本体に設けられ釣糸を係止する釣糸係止部と、ルアー本体の窪み部が設けられた側面の反対側の頭部側面に連結されているフックとを備えている。
【０００８】
このルアーでは、キャスティング後の水中において、ルアーを丸飲み可能な比較的大きな魚はもちろん、比較的小さな魚が頭部付近に噛みついてきた場合においても、頭部付近に連結されたフックが魚に容易に引っかかる。この結果、魚を取り逃がす恐れが少なくなり、魚を容易に釣り上げられる。
【０００９】
また、このルアーでは、ルアー本体の腹部付近側面のいずれか一方のみに窪み部が設けられており左右非対称になっている。このため、釣糸を巻き上げて強くしゃくると、ルアー本体の左右を流れる水流の速度に違いが生じて容易に回転運動を起こすので、簡単に魚に強くアピールできる。
【００１０】
さらに、窪み部によってルアーが回転する際の回転方向と反対側にフックが連結されているので、ルアーの回転時にフックが釣糸などに絡まってしまうのを防止できる。
【００１１】
発明２にかかるルアーは、発明１のルアーであって、ルアー本体内に頭部から尾部にかけて配置されたワイヤをさらに有し、釣糸係止部及びフックはワイヤに連結されている。
【００１２】
この場合には、釣糸係止部及びフックがワイヤに連結されているので、大きな魚がフックにかかって釣糸係止部及びフックに大きな力が加わった際に、釣糸係止部やフックが外れてしまうのを抑えられる。
【００１３】
発明３にかかるルアーは、発明１または２のルアーであって、窪み部は、ルアー本体の長さ方向に腹部の中央付近の頭部側から尾部側にかけて形成されており、ルアー本体の頭部端部及び尾部端部までは設けられていない。
【００１４】
【発明の実施の形態】
［第１参考例］
以下、本発明の第１参考例について図面を参照しつつ説明する。
【００１５】
本発明の第１参考例を採用したルアーは、図１に示すように、外形を魚に似せて形成した金属製のルアー本体１と、ルアー本体１の頭部付近に設けられライン（釣糸）を係止可能なアイ（止輪）２と、ルアー本体の頭部一方の側面及び尾部付近に設けられたアイ３，４とを有している。そして、このアイ３，４にはそれぞれスプリットリング５，６を介してフック７，８が装着されている。
【００１６】
ルアー本体１は、魚に似せて表面に目，鱗，鰓等が描かれている。このルアー本体１は鉛やタングステンまたはこれらの合金等からなる金属製の部材である。ルアー本体１の頭部から尾部にかけては、図１及び図２に示すように、金属製ワイヤ１０が配置されている。そして、この金属製ワイヤ１０の両端はルアー本体１の頭部及び尾部から外部へ突出しており、突出した両端にそれぞれアイ２，４が連結されている。また、ワイヤ１０の一部は分岐してルアー本体１の側面の鰓付近から外部に突出している。そして、この突出した先端にアイ３が連結されている。
【００１７】
このように構成されたルアーでは、キャスティング後の水中において、ルアー本体１を丸飲み可能な比較的大きな魚はもちろん、ルアー本体１を丸飲みできない比較的小さな魚がルアー本体１の頭部付近に噛みついてきた場合においても、頭部付近、詳しくは鰓付近に設けられたアイ３に連結されたフック５が魚に容易に引っかかる。この結果、魚を取り逃がす恐れが少なくなり、魚を容易に釣り上げられる。また、アイ２，３，４がワイヤ１０に直接連結されているので、大きな魚がフック７，８にかかってアイ２，３，４に大きな力が加わった際にも、アイ２，３，４が破損してしまうのを防止できる。
【００１８】
［第２参考例］
以下、本発明の第２参考例について図面を参照しつつ説明する。
【００１９】
本発明の第２参考例を採用したルアーは、図３に示すように、外形を魚に似せて形成した金属製のルアー本体１１と、ルアー本体１１の頭部上面付近に魚の体長方向に設けられライン（釣糸）を係止可能な釣糸係止部１２と、ルアー本体１１の頭部下面及び尾部付近に設けられたアイ１３，１４とを有している。そして、このアイ１３，１４にはそれぞれスプリットリング１５，１６を介してフック１７，１８が装着されている。
【００２０】
ルアー本体１１は、魚に似せて表面に目，鱗，鰓等が描かれている。このルアー本体１１は、第１参考例と同様に、鉛やタングステンまたはこれらの合金等からなる金属製の部材である。このルアー本体１１の内部には薄板状の金属板２０がほぼルアー本体１１全体にわたって配置されている。そして、この金属板２０に釣糸係止部１２及びアイ１３，１４は直接連結されかつルアー本体１から外部に突出している。
【００２１】
このように構成されたルアーでは、第１参考例と同様の作用効果を奏する。また、アイ１３，１４及び釣糸係止部１２が金属板２０に直接連結されているので、大きな魚がフック１７，７８にかかった際にも、アイ１３，１４や釣糸係止部１２が破損してしまうのを防止できる。
【００２２】
なお、ルアー本体１１を金属ではなく透明または半透明の合成樹脂から形成し、内部に配置された金属板２０の表面に光輝性を有するシートを貼り付けてもよい。このように透明な合成樹脂からなるルアー本体１１を用いた場合には、金属板２０に貼り付けた光輝性シートが光を反射して魚の好奇心を高め、魚に強くアピールできる。
【００２３】
［第１実施形態］
以下、本発明の第１実施形態について、図面を参照しつつ説明する。
【００２４】
本発明の第１実施形態を採用したルアーは、図４に示すように、外形を魚に似せて形成した金属製のルアー本体２１と、ルアー本体２１の頭部付近に設けられライン（釣糸）を係止可能なアイ（止輪）２２と、ルアー本体２１の頭部一方の側面及び尾部付近に設けられたアイ２３，２４とを有している。そして、このアイ２３，２４にはそれぞれスプリットリング２５，２６を介してフック２７，２８が装着されている。
【００２５】
ルアー本体２１は、魚に似せて表面に目，鱗，鰓等が描かれている。このルアー本体２１は鉛やタングステンまたはこれらの合金等からなる金属製の部材である。また、図５に示すように、ルアー本体２１は腹部の一側面側の曲面に窪み部３０を有している。この窪み部３０はルアー本体２１の長さ方向に腹部の中央付近の頭部側から尾部側にかけて形成されている。この窪み部３０は頭部端部及び尾部端部までは設けられておらず、ルアー頭部と尾部とのバランスは良好に保たれている。そして、ルアー本体２１の内方に向かって湾曲するように形成されている。なお、この窪み部３０はアイ２３に連結されたフック２７が配置されている側と反対側のルアー本体２１の側面に設けられている。
【００２６】
このように構成されたルアーでは、金属製のルアー本体２１がその十分な重さによってキャスティング後に速やかに沈降する。沈降後の引き上げ時においてリールを巻き上げると、ルアー本体２１の腹部の左右両側面を水流が穏やかに流れて、擬魚的に泳動する。そして、ルアーを強くしゃくり上げると、ルアー本体２１の左右側面を流れる水流が窪み部３０付近において左右非対称に流れ、ルアー本体２１に左右非対称な強い力が加わって、ルアー本体２１は容易に回転運動を起こす。そして、魚に強くアピールする。ここで、ルアー本体２１を丸飲み可能な比較的大きな魚はもちろん、ルアー本体２１を丸飲みできない比較的小さな魚がルアー本体２１の頭部付近に噛みついてきた場合においても、頭部付近に設けられたアイ２３に連結されたフック２７が魚に容易に引っかかる。この結果、魚を取り逃がす恐れが少なくなり、魚を容易に釣り上げられる。
【００２７】
なお、窪み部３０によってルアー本体２１が回転する際の回転方向と反対側の側面にフック２７が連結されているので、ルアーの回転時にフック２７が釣糸などに絡まってしまうのも防止できる。
【００２８】
【発明の効果】
本発明によれば、頭部付近に噛みついた魚をフックに引っかけることができ、魚を容易に釣り上げることができる。
【図面の簡単な説明】
【図１】  本発明の第１参考例を採用したルアーの全体図。
【図２】  図１のII−II断面図。
【図３】  本発明の第２参考例を採用したルアーの全体図。
【図４】  本発明の第１実施形態を採用したルアーの全体図。
【図５】  図４のＶ−Ｖ断面図。
【符号の説明】
１，１１，２１  ルアー本体
２，３，４，１３，１４，２２，２３，２４  アイ
７，８，１７，１８，２７，２８  フック
１０  ワイヤ
１２  釣糸係止部
２０  金属板
３０  窪み部
【図１】
0004065070.tif 000002
【図２】
0004065070.tif 000003
【図３】
0004065070.tif 000004
【図４】
0004065070.tif 000005
【図５】
0004065070.tif 000006